(57)【要約】【課題】  輸送効率の向上【解決手段】このパレット１０は、床板部１１と、床板部１１に立設した支柱１２と、支柱１２の端部に取り付けられ、段積みする際に、他のパレット１０の支柱１２を受ける受け部１３とを備えている。そして、受け部１３は、支柱１２の端部において、パレット１０を積み重ねる方向の投影領域の外側には張り出さず、パレット１０を積み重ねる方向の投影領域の内側に張り出ており、パレット１０を段積みする際に、他のパレット１０の支柱１２を収まるべき所定位置に案内する案内部１４を備えている。【選択図】図３
2007176573.tif 000002
【特許請求の範囲】
【請求項１】
床板部と、床板部に立設した支柱と、支柱の端部に取り付けられ、段積みする際に、他のパレットの支柱を受ける受け部とを備えたパレットであって、
前記受け部は、支柱の端部において、前記パレットを積み重ねる方向の投影領域の外側には張り出さず、パレットを積み重ねる方向の投影領域の内側に張り出ており、パレットを段積みする際に、他のパレットの支柱を収まるべき所定位置に案内する案内部を備えていることを特徴とするパレット。
【請求項２】
前記受け部と支柱は、受け部に他のパレットの支柱が収まるべき所定位置において、段積みに支障なく接離可能に、受け部と他のパレットの支柱とを係合させ、段積みしたパレットが脱落するのを防止する脱落防止手段を備えていることを特徴とする請求項１に記載のパレット。
【請求項３】
前記支柱は筒状で上端が開口しており、前記受け部は支柱を受ける所定位置に、段積みされる他方のパレットの支柱が嵌る突起を備えていることを特徴とする請求項１に記載のパレット。
【請求項４】
前記支柱は受け部に嵌る側の端部に突起を備え、前記受け部は支柱を受ける所定位置に支柱に設けた突起が嵌る穴を備えていることを特徴とする請求項１に記載のパレット。
【発明の詳細な説明】
【技術分野】
【０００１】
本発明はパレットに関するものである。
【背景技術】
【０００２】
段積み可能なパレットとして、床板部に立設した支柱の端部に、段積みする際に、他のパレットの支柱を受ける受け部を取り付けたものが提案されている。例えば、特開平９−２０３４１号公報の図６には、パレットの支柱の下端において、下方に向け、外側に広がった角錐台形状の受け部が開示されている。
【特許文献１】特開平９−２０３４１号公報、図６
【発明の開示】
【発明が解決しようとする課題】
【０００３】
パレット１００の支柱１０１の下端において、下方に向け、外側に広がった角錐台形状の受け部１０２を備えたものは、図１３に示すように、段積みの際、上下のパレット１００の位置を調整するものである。しかし、段積みした際、パレット１００の外側に、受け部１０２が突出し、これが邪魔になって、パレット１００を直近に隣接させて置くことができず、輸送効率が低下する。
【課題を解決するための手段】
【０００４】
本発明に係るパレットは、床板部と、床板部に立設した支柱と、支柱の端部に取り付けられ、段積みする際に、他のパレットの支柱を受ける受け部とを備えたパレットであって、受け部は、支柱の端部において、パレットを積み重ねる方向の投影領域の外側には張り出さず、パレットを積み重ねる方向の投影領域の内側に張り出ており、パレットを段積みする際に、他のパレットの支柱を収まるべき所定位置に案内する案内部を備えていることを特徴としている。
【発明の効果】
【０００５】
このパレットは、段積みしたパレットの外側には受け部が突出せず、パレットを直近に隣接させて置くことができ、輸送効率が向上する。
【発明を実施するための最良の形態】
【０００６】
以下、本発明の一実施形態に係るパレットを図面に基づいて説明する。
【０００７】
このパレット１０は、図１、図２に示すように、床板部１１と、床板部１１に立設した支柱１２と、支柱１２の端部に取り付けられ、段積みする際に、他のパレット１０の支柱１２を受ける受け部１３とを備えている。そして、受け部１３は、図３に示すように、支柱１２の端部において、パレット１０を積み重ねる方向の投影領域の外側には張り出さず、パレット１０を積み重ねる方向の投影領域の内側に張り出ており、パレット１０を段積みする際に、他のパレット１０の支柱１２を収まるべき所定位置に案内する案内部１４を備えている。
【０００８】
この実施形態では、床板部１１は貨物などを載置する部位であり、略矩形の板状で構成されている。支柱１２は、中空の角柱材で矩形の板状で構成された床板部１１の隅部に立設させている。また、支柱１２の上端は開口している。
【０００９】
受け部１３は、図１、図２に示すように、パレット１０を段積みする際に、段積みされる他方のパレットの支柱１２を、段積みの際に収まるべき所定位置に案内する案内部１４を備えている。案内部１４は、図３（ａ）（ｂ）に示すように、この実施形態では、支柱１２の下端部に取り付けられており、パレット１０を積み重ねる方向の投影領域の外側には張り出さず、パレット１０を積み重ねる方向の投影領域の内側に張り出た形状で構成している。また、この実施形態では、図１、図２に示すように、床板部１１の下面との間に、パレット１０を積み重ねる方向の投影領域の内側に張り出た案内部１４をその上部において支持するリブ部１５を備えている。また、この実施形態では、支柱１２は筒状で上端が開口しており、受け部１３は支柱１２を受ける所定位置に、段積みされる他方のパレット１０の支柱１２が嵌る突起１６を設けている。受け部１３は、パレット１０が設置される際に、地面に設置する部位になるので、受け部１３の下端には、平坦にしておくと良い。
【００１０】
斯かる受け部１３は、例えば、図４に示すように、突起１６を含めて案内部１４を、鋼板をプレス成形することにより製造することができる。これに図中破線で示すリブ部１５を溶接し、パレット１０の下端に溶接するとよい。図４中、１７はパレット１０を地面に設置する設置部である。
【００１１】
このパレット１０は、図１、図２に示すように、受け部１３が、支柱１２の端部において、パレット１０を積み重ねる方向の投影領域の外側には張り出さず、パレット１０を積み重ねる方向の投影領域の内側に張り出した案内部１４を設けている。これにより、段積みした際、段積みしたパレット１０の外側には受け部１３が突出せず、パレット１０を直近に隣接させて置くことができ、輸送効率が向上する。
【００１２】
また、パレット１０を段積みする際に、図５に示すように、パレット１０の長辺方向において、上側のパレット１０の位置が右側にずれている場合、図６、図７に示すように、上側のパレット１０の左側の案内部１４によって、上側のパレット１０を下方に下げるにつれて、上側のパレット１０は左側に位置がずれ、下側のパレット１０上の収まるべき所定位置に案内される。そして、図８に示すように、下側のパレット１０の支柱１２の上端に、上側のパレット１０の受け部１３に設けた突起１６が嵌る。
【００１３】
また、図示は省略するが、同様に、上側のパレット１０の位置がパレット１０の長辺方向に左側にずれている場合、上側のパレット１０の右側の案内部によって、上側のパレット１０は右側に位置がずれながら下側のパレット１０上の収まるべき所定位置に案内される。そして、下側のパレット１０の支柱１２の上端に、上側のパレット１０の受け部１３に設けた突起１６が嵌る。
【００１４】
また、パレット１０を段積みする際に、図９に示すように、パレット１０の短辺方向において、上側のパレット１０の位置が右側にずれている場合、図１０に示すように、上側のパレット１０の左側の案内部１４によって、上側のパレット１０は左側に位置がずれながら、下側のパレット１０上の収まるべき所定位置に案内される。そして、図１１に示すように、下側のパレット１０の支柱１２の上端に、上側のパレット１０の受け部１３に設けた突起１６が嵌る。
【００１５】
また、図示は省略するが、同様に、パレット１０の短辺方向において、上側のパレット１０の位置が左側にずれている場合、上側のパレット１０の右側の案内部１４によって、上側のパレット１０は左側に位置がずれながら、下側のパレット１０上の収まるべき所定位置に案内される。そして、下側のパレット１０の支柱１２の上端に、上側のパレット１０の受け部１３に設けた突起１６が嵌る。
【００１６】
このように、段積みする作業も、上側のパレット１０が下側のパレット１０に対して案内されるので、作業性がよい。また、この実施形態では、支柱１２は筒状で上端が開口しており、受け部１３は支柱１２を受ける所定位置に、段積みされる他方のパレット１０の支柱１２が嵌る突起１６が設けられており、最終的に、段積みされた際、図８、図１１に示すように、突起１６が他方のパレット１０の支柱に嵌るので、段積みされたパレット１０が脱落するのを防止することができる。
【００１７】
以上、本発明の一実施形態に係るパレットを説明したが、本発明に係るパレットは上記実施形態に限定されない。
【００１８】
例えば、支柱１２は筒状で上端が開口しており、受け部１３は支柱を受ける所定位置に、段積みされる他方のパレット１０の支柱１２が嵌る突起１６を備えたものを例示したが、パレットを直近に隣接させて置くことができ、輸送効率が向上させるという機能からは突起１６は必須の部位ではない。
【００１９】
また、段積みしたパレットが脱落するのを防止する機能を付加するためには、受け部と支柱は、受け部に他のパレットの支柱が収まるべき所定位置において、段積みに支障なく接離可能に、受け部と他のパレットの支柱とを係合させ、段積みしたパレットが脱落するのを防止する脱落防止手段を備えているとよい。斯かる脱落防止手段としては、支柱１２は筒状で上端が開口しており、受け部１３は支柱を受ける所定位置に、段積みされる他方のパレット１０の支柱１２が嵌る突起１６を備えた形態を例示したが、斯かる形態には限定されない。
【００２０】
他の実施形態としては、突起は、図１２に示すように、支柱１２の端部に突起２１を設け、受け部１３の支柱１２を受ける所定位置に支柱１２に設けた突起１６が嵌る穴２２を形成してもよい。この場合も、最終的に、段積みされた際に、支柱１２の端部に設けた突起１６が、他方のパレットの受け部に形成された穴に嵌るので、段積みされたパレットが脱落するのを防止することができる。また、突起１６は、先端に向うにつれて細くなった形状にしてもよい。これにより、突起１６が穴に嵌り易くなり、段積み作業が容易になる。また、脱落防止手段は突起と穴による形態に限定されず、例えば、段積みに支障なく接離可能に、受け部と他のパレットの支柱とを係合させる構造を広く採用することができる。
【００２１】
また、図示は省略するが、支柱の下端に受け部を設けたものを例示したが、支柱の上端に受け部を設け、段積みする際に、上側のパレットの支柱の下端が、下側の支柱の上端に取り付けられた受け部に収まるように構成してもよい。
【００２２】
また、上記の実施例では、受け部１３の案内部１４は、パレット１０を積み重ねる方向の投影領域の内側において、略角錐台形状に張り出したものを例示したが、案内部１４の形状はこれに限定されない。例えば、パレットを積み重ねる方向の投影領域の内側において、略円錐台形状に張り出した形状にしてもよい。また、床板部の形状も矩形に限定されない。
【図面の簡単な説明】
【００２３】
【図１】本発明の一実施形態に係るパレットの長辺側の側面図。
【図２】本発明の一実施形態に係るパレットの短辺側の側面図。
【図３】（ａ）は本発明の一実施形態に係るパレットの長辺側の側面図、（ｂ）は本発明の一実施形態に係るパレットの底面図。
【図４】本発明の一実施形態に係るパレットの受け部を示す斜視図。
【図５】段積み作業において、（ａ）は図１中のＡ部を示す図、（ｂ）は図１中のＢ部を示す図。
【図６】段積み作業において、（ａ）は図１中のＡ部を示す図、（ｂ）は図１中のＢ部を示す図。
【図７】段積み作業において、（ａ）は図１中のＡ部を示す図、（ｂ）は図１中のＢ部を示す図。
【図８】段積み作業において、（ａ）は図１中のＡ部を示す図、（ｂ）は図１中のＢ部を示す図。
【図９】段積み作業において、（ａ）は図２中のＡ部を示す図、（ｂ）は図１中のＢ部を示す図。
【図１０】段積み作業において、（ａ）は図２中のＡ部を示す図、（ｂ）は図１中のＢ部を示す図。
【図１１】段積み作業において、（ａ）は図２中のＡ部を示す図、（ｂ）は図１中のＢ部を示す図。
【図１２】本発明の他の実施形態に係るパレットを示す側面図。
【図１３】従来のパレットを示す斜視図。
【符号の説明】
【００２４】
１０   パレット
１１   床板部
１２   支柱
１３   受け部
１４   案内部
１５   リブ部
１６   突起
【図１】
2007176573.tif 000003
【図２】
2007176573.tif 000004
【図３】
2007176573.tif 000005
【図４】
2007176573.tif 000006
【図５】
2007176573.tif 000007
【図６】
2007176573.tif 000008
【図７】
2007176573.tif 000009
【図８】
2007176573.tif 000010
【図９】
2007176573.tif 000011
【図１０】
2007176573.tif 000012
【図１１】
2007176573.tif 000013
【図１２】
2007176573.tif 000014
【図１３】
2007176573.tif 000015